(57)【特許請求の範囲】
【請求項１】
極微小な塵埃を捕集するメインフィルターと、前記メインフィルターの前面に設けられ、粗大な塵埃を捕集するプレフィルターとを備え、前記メインフィルターのメンテナンス周期及び前記プレフィルターのメンテナンス周期に合わせて、前記メインフィルター及び前記プレフィルターを洗浄又は交換するようにした洗浄再生用フィルター装置において、
前記メインフィルターは、箱型の外枠の内側壁面に接着剤で一体的に固定され、前記プレフィルターは、前記メインフィルターの前面側でかつ前記外枠の内側壁面に接着されたスペーサーを間に介して前記外枠の前面開口部側から固定具無しで嵌め込み式により前記外枠の内側壁面に着脱自在に装着された構造であり、更に、前記プレフィルターを不織布の１層構造からなり、表面面積を増大させてプレフィルター自身の連続使用期間を長期化し、前記メインフィルターのメンテナンス周期に合わせることにより、前記メインフィルター及び前記プレフィルターを同一のメンテナンス周期で洗浄又は交換できるようにしたことを特徴とする洗浄再生用フィルター装置。
【請求項２】
不織布の２層以上の構造からなり極微小な塵埃を捕集するメインフィルターと、前記メインフィルターの前面に設けられ、不織布の１層構造からなり粗大な塵埃を捕集するプレフィルターとを備え、前記メインフィルターのメンテナンス周期及び前記プレフィルターのメンテナンス周期に合わせて、前記メインフィルター及び前記プレフィルターを洗浄又は交換するようにした洗浄再生用フィルター装置において、
前記メインフィルターは、箱型の外枠の内側壁面に接着剤で一体的に固定され、前記プレフィルターは、前記メインフィルターの前面側でかつ前記外枠の内側壁面に接着されたスペーサーを間に介して前記外枠の前面開口部側から固定具無しで嵌め込み式により前記外枠の内側壁面に着脱自在に装着された構造であり、更に、前記プレフィルターを不織布の１層構造のミニプリーツ式でかつ山高を大きくすることで表面面積を増大させてプレフィルター自身の連続使用期間を長期化し、前記メインフィルターのメンテナンス周期に合わせることにより、前記メインフィルター及び前記プレフィルターを同一のメンテナンス周期で洗浄又は交換できるようにしたことを特徴とする洗浄再生用フィルター装置。
【請求項３】
プレフィルターとメインフィルターは、外枠を間に介して一体型構造となることを特徴とする請求項１又は請求項２記載の洗浄再生用フィルター装置。
【発明の詳細な説明】
【技術分野】
【０００１】
この発明は、空調・冷熱設備や換気設備とともにビル等に備え付けられ、定期的に保守員によりメンテナンスされる洗浄再生用フィルター装置に関するものである。
【背景技術】
【０００２】
一般に空調・冷熱設備や換気設備とともにビル等に備え付けられる洗浄再生用フィルター装置は、メインフィルターと、メインフィルターの前面に取り付けられるプレフィルターとが別々に設置されている。その代表的な構成例を図３、図４に示す。
図において、１１はメインフィルターで、極微小な塵埃を捕集する。１２はメインフィルターの前面に取り付けられるプレフィルターで、比較的粗大な塵埃を捕集する。１３はメインフィルター１１とプレフィルター１２を連結する枠体で、プレフィルター１２を取り付けるためのプレフィルター取付枠１４と蝶ナット１５により、メインフィルター１１とプレフィルター１２を枠体１３に連結固定している。図中、１６は空気の流れ方向を示す。すなわち、プレフィルター１２は空気の流れ方向１６に対して前面（上流）側に取り付けられる。
このような構成のフィルター装置においては、比較的粗大な塵埃を前面のプレフィルター１２により捕集し、極微小な塵埃をメインフィルター１１により捕集しているので、メインフィルター１１の寿命の延命化を図ることができる。
【発明の開示】
【発明が解決しようとする課題】
【０００３】
従来の洗浄再生用フィルター装置では、プレフィルター１２は、その機能上メインフィルター１１に比較して保守員によるメンテナンス周期がかなり短いものであった。したがって、メインフィルター１１が１回／年の交換によるメンテナンス又は超音波洗浄等を利用した１回／年の超音波洗浄でのメンテナンスに対し、プレフィルター１２は水洗い洗浄で４〜６回／年、交換だと２〜３回／年の周期で、水洗い洗浄又は交換が必要になるという計算である。特に、プレフィルター１２のメンテナンスは、ナット締め等による連結固定構造のため、その取り付け、取り外しには相応の作業時間を要し、保守員による年間総メンテナンス時間、並びにその実施に伴う総メンテナンスコストが多大となるという問題点があった。また、環境面の方から見れば、プレフィルター１２を２〜３回／年で交換するということは、産業廃棄物が多量に発生することとなり、環境上の問題が発生する。
【０００４】
この発明は、上述のような課題を解決するためになされたもので、メインフィルターとプレフィルターを簡易に着脱できる一体構造とし、プレフィルターの表面面積の増大によるエレメント寿命の延命化を図ることで、メインフィルターとのメンテナンス周期の同一化を図り、保守員による年間総メンテナンス時間を短縮した洗浄再生用フィルター装置を提供するものである。
【課題を解決するための手段】
【０００５】
この発明に係る洗浄再生用フィルター装置においては、極微小な塵埃を捕集するメインフィルターと、メインフィルターの前面に設けられ、粗大な塵埃を捕集するプレフィルターとを備え、メインフィルターのメンテナンス周期及びプレフィルターのメンテナンス周期に合わせて、メインフィルター及びプレフィルターを洗浄又は交換するようにしたものにおいて、メインフィルターは、箱型の外枠の内側壁面に接着剤で一体的に固定され、プレフィルターは、メインフィルターの前面側でかつ外枠の内側壁面に接着されたスペーサーを間に介して外枠の前面開口部側から固定具無しで嵌め込み式により外枠の内側壁面に着脱自在に装着された構造であり、更に、プレフィルターを不織布の１層構造からなり、表面面積を増大させてプレフィルター自身の連続使用期間を長期化し、メインフィルターのメンテナンス周期に合わせることにより、メインフィルター及びプレフィルターを同一のメンテナンス周期で洗浄又は交換できるようにしたものである。
【０００６】
また、不織布の２層以上の構造からなり極微小な塵埃を捕集するメインフィルターと、メインフィルターの前面に設けられ、不織布の１層構造からなり粗大な塵埃を捕集するプレフィルターとを備え、メインフィルターのメンテナンス周期及びプレフィルターのメンテナンス周期に合わせて、メインフィルター及びプレフィルターを洗浄又は交換するようにしたものにおいて、メインフィルターは、箱型の外枠の内側壁面に接着剤で一体的に固定され、プレフィルターは、メインフィルターの前面側でかつ外枠の内側壁面に接着されたスペーサーを間に介して外枠の前面開口部側から固定具無しで嵌め込み式により外枠の内側壁面に着脱自在に装着された構造であり、更に、プレフィルターを不織布の１層構造のミニプリーツ式でかつ山高を大きくすることで表面面積を増大させてプレフィルター自身の連続使用期間を長期化し、メインフィルターのメンテナンス周期に合わせることにより、メインフィルター及びプレフィルターを同一のメンテナンス周期で洗浄又は交換できるようにしたものである。
【発明の効果】
【０００７】
この発明によれば、プレフィルターを不織布の１層構造からなり、表面面積を増大させてプレフィルター自身の連続使用期間を長期化し、メインフィルターのメンテナンス周期に合わせることにより、メインフィルター及びプレフィルターを同一のメンテナンス周期で洗浄又は交換できるようにしたので、保守員による年間総メンテナンス時間を短縮することができる。また、プレフィルターの交換作業時間を低減することで、年間メンテナンスコストの削減にも貢献することができる。さらに、産業廃棄物を発生させないという別の効果も得られる。
【発明を実施するための最良の形態】
【０００８】
実施の形態１．
以下、この発明の実施の形態１における洗浄再生用フィルター装置及びその洗浄再生方法を図１、図２に基づき説明する。
図１はこの発明の実施の形態１における洗浄再生用フィルター装置を示す分解斜視図、図２はこの発明の実施の形態１における洗浄再生用フィルター装置を示す斜視図である。  
【０００９】
図において、１は不織布の２層構造からなるメインフィルターで、従来と同様に極微小な塵埃を捕集する。２は不織布の１層構造からなり、ミニプリーツ式でかつ山高を大きくすることにより、従来よりも表面面積を１０倍以上としたプレフィルターである。このプレフィルター２は、上記メインフィルター１の前面に取り付けられて比較的粗大な塵埃を捕集する。３は例えば合板、亜鉛鉄板、ステンレス板、合成樹脂等で構成された箱型の外枠で、この外枠の内側壁面に上記メインフィルター１がホットメルト等の接着剤により一体的に固定されている。４は上記メインフィルター１の前面側でかつ上記外枠３の左右内側壁面に接着されたスペーサーである。このスペーサー４は、上記プレフィルター２を上記外枠３の前面開口部側より外枠３内に組み込んだ時に、メインフィルター１とプレフィルター２の間に位置して両者の間隔を保持し、空気流を均一化している。また、上記プレフィルター２は外枠３から取り外し可能な構成で、ナット締め等による固定具無しで嵌め込み式により着脱自在に装着されている。したがって、プレフィルター２とメインフィルター１は外枠３を間に介して一体型構造となっている。図中、６は空気の流れ方向を示す。すなわち、プレフィルター２は空気の流れ方向６に対して前面（上流）側の外枠３に固定具無しで嵌め込み式により着脱自在に取り付けられている。
【００１０】
このような構成の洗浄再生用フィルター装置においては、比較的粗大な塵埃を前面のプレフィルター２により捕集し、極微小な塵埃をメインフィルター１により捕集しているので、メインフィルター１の寿命の延命化を図ることができる。
その上で、プレフィルター２の表面面積を従来方式の１０倍以上と大幅に増加させることにより、プレフィルター２の粉塵保持力を向上させ、プレフィルター２のエレメント自身の連続使用期間の長期化を図ることが可能となる。これにより、プレフィルター２のメンテナンス周期を、従来の水洗い洗浄で４〜６回／年、交換だと２〜３回／年という短期間の周期から、メインフィルター１の１回／年という長期間のメンテナンス周期へと合わせる、いわゆるメンテナンス周期の同一化を図ることが可能となったのである。したがって、プレフィルター２を頻繁に水洗い洗浄したり、頻繁に交換したりする必要がなくなり、保守員による年間総メンテナンス時間を著しく短縮することができる。また、プレフィルター２の連結固定具を用いない嵌め込み式によるプレフィルター２とメインフィルター１との一体型構造を採用することにより、プレフィルター２の交換作業時間を低減することができ、年間メンテナンスコストの削減にも貢献することができる。
【００１１】
また、プレフィルター２の長期間利用を可能としメインフィルター１とのメンテナンス周期の同一化のために、ミニプリーツ構造とし粉塵保持容量を向上させる構造とすると、従来の水洗い洗浄を行うことができなくなるが、メインフィルター１とプレフィルター２を分離できる構造としているので、超音波洗浄を利用した１回／年の超音波洗浄が可能となる。また、メインフィルター１とプレフィルター２を分離構造とすることで、メインフィルター１とプレフィルター２の間にゴミやスケール等が滞留せず、清浄性を高く保つことができ、同時に独立して洗浄することを可能にしている。このことは、超音波洗浄を可能とし、産業廃棄物を発生させないという別の効果が得られるものである。
【００１２】
なお、スペーサー４をメインフィルター１とプレフィルター２の間に設置することにより、一定の空気流の空間を形成することができるので、メインフィルター１の効率を失わせないことが可能となる。
【図面の簡単な説明】
【００１３】
【図１】この発明の実施の形態１における洗浄再生用フィルター装置を示す分解斜視図である。
【図２】この発明の実施の形態１における洗浄再生用フィルター装置を示す斜視図である。
【図３】従来の洗浄再生用フィルター装置を示す分解斜視図である。
【図４】従来の浄再生用フィルター装置を示す斜視図である。
【符号の説明】
【００１４】
１  メインフィルター
２  プレフィルター
３  外枠
４  スペーサー
６  空気の流れ方向
１１  メインフィルター
１２  従来のプレフィルター
１３  枠体
１４  プレフィルター取付枠
１５  蝶ナット
１６  空気の流れ方向
【図１】
0004677358.tif 000002
【図２】
0004677358.tif 000003
【図３】
0004677358.tif 000004
【図４】
0004677358.tif 000005